【手続補正書】
【提出日】平成31年4月24日(2019.4.24)
【手続補正１】
【補正対象書類名】特許請求の範囲
【補正対象項目名】全文
【補正方法】変更
【補正の内容】
【特許請求の範囲】
【請求項１】
ワイヤレス通信システムにおけるトラフィック管理のための方法であって、
ユーザ機器(UE)との第1の高速ダウンリンクチャネルを有する第1のセルと関連付けられた第1のチャネル品質インジケータ(CQI)を無線ネットワークコントローラ(RNC)において受信するステップであって、前記RNCにおいて記憶され、かつ前記UEに送信するようにスケジュールされたトラフィックが、前記第1のセルを介して前記UEに前記RNCによってルーティングされる、ステップと、
前記UEとの第2の高速ダウンリンクチャネルを有する第2のセルと関連付けられた第2のCQIを前記RNCにおいて受信するステップと、
前記第1のCQIと前記第2のCQIとを受信することに基づいて、前記第2のセルを介して前記UEに送信するようにスケジュールされた前記トラフィックを再ルーティングするかどうかを前記RNCにおいて決定するステップと、
前記決定するステップに基づいて、前記UEに送信するようにスケジュールされた前記トラフィックの少なくとも一部分を前記第1のセルから前記第2のセルに再ルーティングするステップであって、前記トラフィックの前記一部分が、前記RNCにおけるキュー内のトラフィックパケットを含む、ステップと
を含む、方法。
【請求項２】
前記第1のCQIと前記第2のCQIとを受信することに基づいて、前記第2のセルを介して送信するようにスケジュールされた前記トラフィックを再ルーティングするかどうかを前記決定するステップが、
前記第1のCQIを受信するステップに基づいて、前記第1のセルによってサポートされる第1のデータレートを決定するステップと、
前記第2のCQIを受信するステップに基づいて、前記第2のセルによってサポートされる第2のデータレートを決定するステップと、
前記第2のセルによってサポートされる前記第2のデータレートが、前記第1のセルによってサポートされる前記第1のデータレートを超えると判定するステップと
を含む、請求項1に記載の方法。
【請求項３】
前記第1のCQIと前記第2のCQIとを受信することに基づいて、前記第2のセルを介して送信するようにスケジュールされた前記トラフィックを再ルーティングするかどうかを前記決定するステップが、
前記第1のセルと前記第2のセルとの間のトラフィック負荷分散を決定するステップと、
前記トラフィック負荷分散を決定するステップに基づいて、前記第2のセルへのオフロードの候補となる、前記第1のセルによってサービスされる1つまたは複数のユーザ機器(UE)を特定するステップと
を含む、請求項1に記載の方法。
【請求項４】
前記第1のCQIと前記第2のCQIとを受信することに基づいて、前記第2のセルを介して送信するようにスケジュールされた前記トラフィックを再ルーティングするかどうかを前記決定するステップが、
前記第1のCQIと前記第2のCQIとを受信することに基づいて、前記UEが干渉除去および抑制能力を含むと判定するステップを含む、請求項1に記載の方法。
【請求項５】
前記UEに送信されるべき構成を開始するステップであって、前記構成が前記UEに、前記第1のCQIと前記第2のCQIとの両方を送信し、かつ前記第1のセルのみを復号するように指示する、ステップをさらに含む、請求項1に記載の方法。
【請求項６】
前記トラフィックの前記一部分を前記再ルーティングするステップが、前記決定するステップに基づいて、前記UEに送信するようにスケジュールされた、前記RNCにおいてキューイングされた前記トラフィックの全体を前記第1のセルから前記第2のセルに再ルーティングするステップをさらに含む、請求項1に記載の方法。
【請求項７】
前記トラフィックの前記一部分を前記第2のセルから前記UEに送信するステップをさらに含む、請求項1に記載の方法。
【請求項８】
前記第1のセルと関連付けられた前記第1のCQIを受信するステップおよび前記第2のセルと関連付けられた前記第2のCQIを受信するステップが、
第1のセルから前記第1のCQIと前記第2のCQIとの両方を前記RNCにおいて受信するステップであって、前記第1のセルがサービングセルであり、前記第2のセルがオフロード候補のセルである、ステップ
を含む、請求項1に記載の方法。
【請求項９】
ワイヤレス通信システムにおけるトラフィック管理のための装置であって、
ユーザ機器(UE)との第1の高速ダウンリンクチャネルを有する第1のセルと関連付けられた第1のチャネル品質インジケータ(CQI)を無線ネットワークコントローラ(RNC)において受信するための手段であって、前記RNCにおいて記憶され、かつ前記UEに送信するようにスケジュールされたトラフィックが、前記第1のセルを介して前記UEに前記RNCによってルーティングされる、手段と、
前記UEとの第2の高速ダウンリンクチャネルを有する第2のセルと関連付けられた第2のCQIを前記RNCにおいて受信するための手段と、
前記第1のCQIと前記第2のCQIとを受信することに基づいて、前記第2のセルを介して前記UEに送信するようにスケジュールされた前記トラフィックを再ルーティングするかどうかを前記RNCにおいて決定するための手段と、
前記決定することに基づいて、前記UEに送信するようにスケジュールされた前記トラフィックの一部分を、前記第1のセルから前記第2のセルに再ルーティングするための手段であって、前記トラフィックの前記一部分が、前記RNCにおけるキュー内のトラフィックパケットを含む、手段と
を含む、装置。
【請求項１０】
前記第1のCQIと前記第2のCQIとを受信することに基づいて、前記第2のセルを介して送信するようにスケジュールされた前記トラフィックを再ルーティングするかどうかを前記決定するための手段が、
前記第1のCQIを受信することに基づいて、前記第1のセルによってサポートされる第1のデータレートを決定するための手段と、
前記第2のCQIを受信することに基づいて、前記第2のセルによってサポートされる第2のデータレートを決定するための手段と、
前記第2のセルによってサポートされる前記第2のデータレートが、前記第1のセルによってサポートされる前記第1のデータレートを超えると判定するための手段と
を含む、請求項9に記載の装置。
【請求項１１】
前記第1のCQIと前記第2のCQIとを受信することに基づいて、前記第2のセルを介して送信するようにスケジュールされた前記トラフィックを再ルーティングするかどうかを前記決定するための手段が、
前記第1のセルと前記第2のセルとの間のトラフィック負荷分散を決定するための手段と、前記トラフィック負荷分散を決定することに基づいて、前記第2のセルへのオフロードの候補となる、前記第1のセルによってサービスされる1つまたは複数のユーザ機器(UE)を特定するための手段とを含むか、かつ/または
前記第1のCQIと前記第2のCQIとを受信することに基づいて、前記UEが干渉除去および抑制能力を含むと判定するための手段を含む、
請求項9に記載の装置。
【請求項１２】
前記UEに送信されるべき構成を開始するための手段であって、前記構成が前記UEに、前記第1のCQIと前記第2のCQIとの両方を送信し、かつ前記第1のセルのみを復号するように指示する、手段をさらに含む、請求項9に記載の装置。
【請求項１３】
前記トラフィックの前記一部分を前記再ルーティングするための手段が、前記決定することに基づいて、前記UEに送信するようにスケジュールされた、前記RNCにおいてキューイングされた前記トラフィックの全体を、前記第1のセルから前記第2のセルに再ルーティングするための手段をさらに含む、請求項9に記載の装置。
【請求項１４】
前記トラフィックの少なくとも前記一部分を前記第2のセルから前記UEに送信するための手段をさらに含む、請求項9に記載の装置。
【請求項１５】
請求項1〜8のいずれか一項に記載の方法を実施するためのコードを備えるワイヤレス通信のためのコンピュータによって実行可能なコードを記憶する、コンピュータ可読記録媒体。